(57)【要約】【課題】  洗面台又は洗面台壁面に穴をあけて固定具で取り付けるといった煩雑な工程が必要なく設置可能であり、外部から力が掛かり本体が傾倒又は転倒しても洗面ボウルや地面に落ちない手乾燥装置を得る。【解決手段】  洗面台１２に配置され、手を乾燥させるための風を吹き出す本体３０と、本体３０と洗面台１２又は洗面台壁面３８と接着部材３２で接着した受台３４と、本体３０と受台３４を繋ぎ、傾いた本体３０を保持又は元の位置に戻すための接続具と、を備える。【選択図】  図１
2010268986.tif 000002
【特許請求の範囲】
【請求項１】
洗面台に配置され、手を乾かすための風を吹き出す本体と、
洗面台又は洗面台壁面と接着され、前記本体に掛かる外力を前記洗面台又は前記洗面台壁面に伝える受台と、
前記本体と前記受台を繋ぎ、前記本体が傾いた場合に張力によって前記本体の転倒を防ぐ接続具と、
を備えたことを特徴とする手乾燥装置。
【請求項２】
受台の端部に側壁を設け、前記受台の下部又は前記側壁に水を抜く開口部を設けたことを特徴とする請求項１に記載の手乾燥装置。
【請求項３】
複数の接続具を受台の複数箇所に接続したことを特徴とする請求項１に記載の手乾燥装置。
【請求項４】
複数の接続具を受台から放射状に本体に接続したことを特徴とする請求項１に記載の手乾燥装置。
【請求項５】
受台と洗面台又は洗面台の壁面とを接着する接着部材を受台に備えたことを特徴とする請求項1乃至４のいずれかに記載の手乾燥装置。
【請求項６】
接着部材よりも弱い接着力で本体と受台が第２の接着部材を介して接着されることを特徴とする請求項１乃至５のいずれかに記載の手乾燥装置。
【請求項７】
接続具は弾性体からなることを特徴とする請求項１乃至６のいずれかに記載の手乾燥装置。
【請求項８】
接着部材は受台の洗面台又は洗面台の壁面と接する面に設けられ、
前記接着部材には取り外し可能な突起が設けられていることを特徴とする請求項５又は６に記載の手乾燥装置。
【発明の詳細な説明】
【技術分野】
【０００１】
本発明は、洗浄後の濡れた手を衛生的に乾燥することができる手乾燥装置に関するものである。
【背景技術】
【０００２】
従来の手乾燥装置は、本体と水受けにより構成されており、この本体内部には送風空気を発生させる送風手段と、この送風手段と連通し送風空気を吹き出す吹出しノズルと、電装部品を制御する制御手段を設け、これらは外郭ケースにて覆われている。また本体下部には送風空気を本体内部に取り込む吸込口と、手挿入部に差し出された手を赤外線により検知する手検知センサーと、水受けを固定する雌ねじ部を設け、裏面には本体を引っ掛けて固定する係り金具とコード収納部を設けている。本体を固定する係り金具又は接着剤が手乾燥装置本体の背面に設けられており、洗面カウンターの壁面と接着したＬ字状の固定板を設け、係り金具をその固定板で固定する手乾燥装置や逆Ｔ字状の固定板を洗面台１２のカウンター面に接着し、固定板の掛け金具に手乾燥装置を引っ掛けて、本体下部を固定ネジでネジ止めする手乾燥装置がある。（特許文献１参照）
【先行技術文献】
【特許文献】
【０００３】
【特許文献１】特開２００２−１７７１６４号（００３４、００３５欄）
【発明の概要】
【発明が解決しようとする課題】
【０００４】
しかしながら、従来の手乾燥装置では取り付けるために洗面台やその壁面に穴をあけて固定具で固定しなければならない問題があった。
【０００５】
また、Ｌ字型や逆Ｔ字型の固定板を洗面台壁面や洗面台面に接着剤や両面テープで接着し、その固定板と手乾燥装置を金具で固定しているので、このような状態では固定板の接着点から離れた位置で本体に力が加わると、固定板にも大きな回転力がかかり、固定板と本体共に洗面台から外れて転倒する、また固定板は洗面台と接着されているが本体のみが固定板から外れて転倒するといった問題があった。
【０００６】
さらに、製品が転倒すると、洗面台から地面に落下し製品が破損する問題や、水の溜まっている洗面ボウルの中に落下するとその水で手乾燥装置が破損する、また水が溜まっていなくても自動水洗によって流れる水で製品が破損するといった問題がある。
【０００７】
本発明は上記の課題を解決するためになされたものであり、受台と本体を接続具で繋ぐことにより本体が転倒しても洗面台から地面や洗面ボウルに落下することのない手乾燥装置を提供することを目的とする。
【課題を解決するための手段】
【０００８】
上記課題を解決するために、本発明は、洗面台に配置され、手を乾かすための風を吹き出す本体と、洗面台又は洗面台壁面と接着され、前記本体に掛かる外力を前記洗面台又は前記洗面台壁面に伝える受台と、前記本体と前記受台を繋ぎ、前記本体が傾いた場合に張力によって前記本体の転倒を防ぐ接続具と、を備えたことを特徴とするものである。
【発明の効果】
【０００９】
本発明は、手乾燥装置の本体が傾いた場合でも洗面台から地面や洗面ボウルに落下を防ぐことができるという有利な効果を奏する。
【図面の簡単な説明】
【００１０】
【図１】本発明における実施の形態１の洗面台上に設置した手乾燥装置の本体と受台の分離図。
【図２】本発明における実施の形態１の手乾燥装置の概略断面図。
【図３】本発明における実施の形態１の複数の接続具で均等に接続された本体と受台の分離図。
【図４】本発明における実施の形態１の受台から放射状に接続された本体と受台の分離図。
【図５】本発明における実施の形態１の洗面台壁面と接着された手乾燥装置の本体と受台の分離図。
【図６】本発明における実施の形態２の取り付け前の手乾燥装置の側面図。
【発明を実施するための形態】
【００１１】
実施の形態１．
図１乃至図４はこの発明に係る実施の形態１における手乾燥装置の図面である。図１は洗面ボウルの洗面台１２に設置した手乾燥装置の本体３０と受台３４の分離図である。手乾燥装置は本体３０と受台３４から構成されており、本体３０の下部と受台３４が接続具であるワイヤー３１で接続されている。受台３４は本体３０に掛かる外力を洗面台１２に伝える。手乾燥装置の受台３４を洗面台１２の上であって洗面ボウル１１の周囲に配置し手乾燥装置の本体３０を受台３４の上に取り付けることによって、手乾燥装置を洗面ボウル１１の周囲に取り付けることができる。受台３４は接着面となる底面で洗面台１２の表面と接着部材３２で接着されている。手乾燥装置を使用する場合は、本体３０は受台３４の上に乗るように設置され、ワイヤー３１は受台３４若しくは本体３０の底に設けられた窪みに格納される。
【００１２】
受台３４の端部には側壁が設けられており手乾燥装置本体の下部を嵌合する形状とすると本体３０が受台３４に嵌り、手乾燥装置の安定性を増すことができる。また、本体３０と受台３４の側壁の間に数ｃｍ程度の隙間を設けて、本体３０が受台３４の中で動くことができる構造としても良い。隙間を設けることによって、本体３０に外力がかかった場合に本体３０が受台３４の中で動き、さらに受台３４の側壁に寄り掛かるように倒れ、ワイヤー３１の張力により本体３０が引っ張られ、本体３０は傾いたまま固定されるので、本体３０が洗面台１２から洗面ボウル１１や地面に落下することを防ぐことができる。
【００１３】
また、ワイヤー３１の長さを隙間の間隔より短くすることにより、本体３０が受台３４からはみ出ることを防ぐことができる。本体３０と受台３４の側壁との隙間は０．５ｃｍ〜６ｃｍ、ワイヤーの長さは０．３ｃｍ〜４ｃｍが望ましい。
【００１４】
また、受台３４に側壁を設けない形状にすると、受台３４に洗面ボウル１１や手から跳ね返った水が溜まることがない構造とすることができる。
【００１５】
受台３４に側壁を設けて、さらに本体３０に隙間を設ける構造とする場合には、受台３４の下部又は側壁の一部を開口部とすることで洗面ボウル１１へ受台３４に溜まった水を排水する排水口を設ける。このような構造とすることにより受台３４に水が溜まることを防ぐことができる。また、洗面ボウル１１に向けて水が流れるように排水口にノズルを設けたり、排水口の下に傾斜のあるプレートを設けて水がプレートに沿って洗面ボウル１１まで流れることができる構造としても良い。
【００１６】
また、受台３４の周囲にパッキンや断面が円形状の環状のリング部材を用いて受台３４と本体３０の隙間の上部を閉じる構造にすると、受台３４への水の浸入を防ぐことができる。
【００１７】
ワイヤー３１は本体３０の下部又は受台３４に収納され、その長さは本体３０が受台３４から外れた時に洗面ボウル１１に落ちない程度、或いは本体３０が傾く程度の長さに調整されている。
【００１８】
受台３４の厚みや高さを調整することによって嵩上げ部材として用いることができ、洗面ボウル１１の縁が洗面台１２の上面よりも上に出ているオーバーカウンター型の洗面台１２でも使い勝手の良い手乾燥装置とすることができる。特に、洗面ボウル１１を洗面台１２に嵌め込む構造のオーバーカウンター型の洗面台は洗面ボウル１１の縁の高さが洗面台１２から約２ｃｍ以下のものが多いので、受台３４を２ｃｍ以上嵩上げすることが好ましい。
【００１９】
図２は手乾燥装置側面断面図であり、外郭１は一部開放されているものの両端が閉塞された筒形状で構成されている。外郭１内にはモーターと、モーターによって回転するターボファンから構成された高圧空気流発生装置２が組み込まれている。この高圧空気流発生装置２が駆動することにより、吸気口７から吸い込まれた空気が吸気風路６を通って、エアフィルター８を介して高圧空気流発生装置２に流入する。そして、高圧空気流発生装置２で生成される高圧空気流が排気風路５を通ってノズル４から手挿入空間３に送気して、ノズル４の下方に配置された手挿入空間３内に水分を吹き飛ばすに十分な乾燥用作動空気流としての高速空気流を形成するものである。
【００２０】
手挿入空間３は、洗面ボウル１１側の前面と両側面とが開放し、下面は洗面ボウル１１が配置され、上側にある外郭１上部から略水平方向に突出した排気風路５及びノズル４が設けられ、その下方に手挿入空間３を形成されている。またその手挿入空間３は、手を差し出した状態で違和感や不安感を抱くことのない、目視可能の状態で自由に手を抜き差しできる幅と高さ及び奥行きを有している。
【００２１】
吸気口７は外郭１の背面側に下方に向けて配置されている。この吸気口７には埃の侵入を防止するためのエアフィルター８が取り付けられており、外郭１の上下方向へ抜き差し自在となるように取り付けられている。エアフィルター８はＨＥＰＡ（Ｈｉｇｈ  Ｅｆｆｉｃｉｅｎｃｙ  Ｐａｒｔｉｃｕｌａｔｅ  Ａｉｒ）フィルターや殺菌フィルターでも問題なく、また、エアフィルター８の下流側にＨＥＰＡフィルターや殺菌フィルターが複数配置されていても問題ない。
【００２２】
エアフィルター８は上下に抜き差し可能で、エアフィルター８を取外すと電源スイッチや風量スイッチ等が配置された操作部２４が現れ、電源スイッチのオンオフ切替えや風量スイッチの強弱切替え等の操作を行う。これにより外側に操作部が露出していないためいたずらや誤操作がされない構造となっている。
【００２３】
また、エアフィルター８が取り付けられていなければ運転されないようにリミットスイッチが設けられているため、上部から水が掛けられて、エアフィルター８の挿入口から水が浸入した状態で、たとえ手挿入部に手を検知しても運転されることはなく、水は吸気口７から排水され、モーター内部に水が入ることはない。
【００２４】
手挿入空間３に手を挿入すると、ノズル４の奥に取り付けられたセンサー９が手を検知し、高圧空気流発生装置２が駆動し、外部空気を吸気し、吸気口７より吸気風路と、吸気風路内にあるエアフィルター８を通過する。吸気された空気は高圧空気流発生装置２により高圧化し、排気風路５を通ってノズル４に達し、ノズル４で高速化され、手挿入空間３に高速空気が下方に向けて吹出すようにノズル４は排気風路５の下面に設けられており、吹出された高速空気により手に付着した水滴を除去する。
【００２５】
手挿入空間３に挿入された手から吹き飛ばされた水滴は、手挿入空間３下方の洗面ボウル１１に回収され、洗面ボウル１１内の排水溝１３より排水されるため、従来の手乾燥装置のようなドレン容器を清掃するといった作業を排除でき、メンテナンス性を向上することができる。
【００２６】
従来の手乾燥装置では固定板と本体をネジ等の固定具で頑丈に固定しており、手乾燥装置に力が掛かると本体と固定板共々転倒してしまうが、本実施の形態では、受台３４が接着部材３２で固定されているときに、いたずらや偶然の接触などの外力が加わった場合、固定されていない本体３０が受台３４から先に外れることになる。一旦本体３０が受台３４から外れると、ワイヤー３１が伸びて本体３０が傾いた状態で保持されるため、本体３０が地面や洗面ボウル１１に落ちることを防ぐことができる。
【００２７】
本体３０が傾いた状態とは、受台３４と本体３０の下部を接続するワイヤー３１が張って本体３０の転倒を防いでいる状態、若しくは本体３０が受台３４の側壁に寄り掛かっている状態、若しくは本体３０の一部が受台３４の側壁に乗り上がっている状態である。尚、本体３０が傾きワイヤー３１が張った状態で本体の下部が受台３４がはみ出ないようにワイヤー３１の長さを調整しておくことが好ましい。
【００２８】
本体３０が傾いた状態であると手を乾かそうと思っても、手挿入空間３がなくなるため使用できなかったり、ノズル４の向きが変わり吹き出る風が洗面ボウル１１に向いていないので使用者が違和感を覚えたりするので、使用者や管理者が本体３０を元の受台３４の定位置に戻すことができる。
【００２９】
本体３０と受台３４は固定されていない状態でただ載っているだけの状態を記載したが、接着部材３２の接着力よりも弱い力で固定されているのであれば同様の効果が得られ、さらに本体３０の安定性を増すことができる。例えば、受台３４に貼付された両面テープと同じ素材で面積が小さい両面テープを本体３０の下部に設ければよい。その素材はマグネット、吸盤等でもかまわない。
【００３０】
図３は複数のワイヤー３１で均等に接続された本体３０と受台３４の分離図である。図３に示すように、本体３０と受台３４を接続するワイヤー３１の本数は１本に限らず受台３４の複数箇所に均等に接続された複数のワイヤー３１を用いても良い。複数のワイヤー３１で繋ぐことによって、本体３０に力が働いたときにその力を複数のワイヤー３１に分散させて受台３４に伝え、接着部材３２の一箇所に力が掛からないので、有効に接着部材３２を使うことができ手乾燥装置の安定性を増すことができる。また、ワイヤー３１の取り付け箇所も均等に限らず、洗面ボウル１１から離れる程単位面積あたりのワイヤー３１の取り付け本数が多くなるようにしても良い。
【００３１】
図４は複数のワイヤー３１を受台の中央部から放射状に本体３０の下部に取り付けた手乾燥装置の側面図である。図４に示すように、複数のワイヤーを受台３４の中央から放射状に本体３０の下部周囲に均等に取り付けても良い。そうすることで、本体３０はどの方向からの外力にも安定に耐えることができる。図４では受台３４の中央部にワイヤー３１が接続されているが、接続部分は中央部に限定されるものではなく、受台３４の端部で接続しても良い。
【００３２】
また、複数のワイヤー３１の長さはそれぞれ任意に変更することができる。ワイヤー３１の長さを調整することによって、本体３０の傾き角度を調整することができる。そこで、洗面ボウル１１に近い側のワイヤー３１は短く、遠い側のワイヤー３１を長くしても良い。
【００３３】
ワイヤー３１の代わりに接続具としてバネやゴムといった弾性体であっても、金属製や硬質ウレタン製やゴム製のチェーンであっても、炭素含有量が０．２〜２．０％の炭素鋼からなる硬鋼線からなるピアノ線等の金属線や、プラスチックとガラス繊維を混ぜ合わせたグラスウールや、ナイロン糸からなる釣り糸のような高分子素材からなる高分子線であり、それらを組み合わせて使用してもよく、チェーン状に加工した接続具を用いてもよい。また、金属材料を含むワイヤー３１の場合、表面にメッキや塗装などの防錆処理を施しておく。
【００３４】
特にワイヤー３１にバネやゴムといった弾性体を含む材料を用いると、本体３０が傾いてワイヤー３１が伸びた場合に弾性体の引っ張り力によって本体３０が元の位置に戻ることができる。また、弾性体は伸びの変化によってその張力が変化する性質があり、複数本の弾性体からなる接続具を用いると、特定の箇所に外力が掛かっても接続具が伸びることによって、その他の接続具に外力を分散させて受台３４に伝えることができ、接着部材３２の一箇所に力が掛かることなく有効に使うことができる。
【００３５】
接着部材３２には接着剤、両面テープ、吸盤、マジックテープ（登録商標）、磁石等を用いることによって、洗面台１２に穴を開けることなく受台３４を固定することができる。また、受台３４を洗面台１２から取外して、再度接着部材３２で接着することにより設置する場所を自由に変更することができる。接着剤の場合は薬品や温度、湿度の変化により接着力が変化するので、気温、湿度や洗剤に対する耐久性が高く、また使用場所が水周りであるので防水性の高い接着剤が好ましい。尚、接着部材３２には手乾燥装置を取り外し後、洗面台に接着剤が残らないようにアクリル系接着剤を用いた両面テープであることが望ましい。
【００３６】
接着部材３２は受台３４の底面全体に貼り付けられ、受台３４とワイヤー３１の接続部分は接着部材３２と洗面台１２との接着面の内側にあることが望ましい。内側に接続部分を配置することによって、接着部材３２の端部に力が掛かり、受台３４が洗面台１２から外れることを防いで手乾燥装置の安全性を高めることができる。
【００３７】
図３に示すような複数のワイヤー３１が受台３４の複数箇所に接続されている手乾燥装置において、本体３０が洗面ボウル１１に向けて傾いた場合、受台３４は洗面ボウル１１に近い側のワイヤー３１からは横方向に強い張力を、遠い側のワイヤー３１からは縦方向に強い張力を受けるので、接着部材３２は洗面ボウル１１に近い側ではせん断接着強さの強いものを、洗面ボウル１１に遠い側では引張り接着強さの強いものを用いると良い。洗面ボウル１１からの距離に応じて異なる接着剤を用いることによって、本体３０が受台３４と共に洗面ボウル１１に転落することを防止できる。
【００３８】
天然大理石、タイルやレンガ等の陶器、ガラス、ステンレスのように穴を開けることができない素材の洗面台にも受台３４を貼り付けるだけで手乾燥装置を設置することができる。
【００３９】
図５は洗面台壁面３８と接着された手乾燥装置の本体３０と受台３４の分離図である。洗面台１２と受台３４を接着した場合について上述したが、本体３０は直接洗面台１２の上に配置されており、受台３４は接着部材３２を介して洗面台壁面３８に取り付けられている。本体３０と受台３４はワイヤー３１で接続されているが、本体３０での接続部分は本体の側面である。このように洗面台壁面３８と受台３４を接着することにより、洗面台１２の材質によらず手乾燥装置を設置することができる。尚、図３及び図４に示すように複数のワイヤー３１を用いて洗面台壁面３８に取り付けられた受台３４と本体３０を接続しても良い。
【００４０】
実施の形態２．
図６は本発明の第２の実施の形態を示しており、取り付け前の手乾燥装置の側面図である。本実施の形態では、運転方法や風の流れ等は実施の形態１と同じである。ここでは、実施の形態１と異なる点のみ説明する。
【００４１】
図６に示すように、洗面台に取り付ける前の状態の手乾燥装置は洗面台１２と接する受台３４の底面に接着部材３２が取り付けられている。接着部材３２は両面テープでその露出部分には剥離紙３５が張り付いている。剥離紙３５には突起状の部品３６が設けられており、そのままでは受台３４は洗面台１２の表面に対して斜めに設置されることになる構造となっており、突起状の部品３６は、剥離紙３５を剥がさずに手乾燥装置を設置しようとすれば斜めに設置された受台３４の上に本体３０を設置しようとしても転倒してしまうような配置、形状、大きさをしている。
【００４２】
突起状の部品３６の材質は発泡スチロール、ゴム、スポンジ、樹脂、金属であっても、前記効果が得られる限り指定はしない。
【００４３】
突起状の部品３６を接着部材３２の剥離紙３５に貼付することで、確実に突起状の部品３６を取外さなければ製品が自立できない構造となっているため、手乾燥装置を洗面台に置いたときに、自立しないことに気づき、確実に接着部材３２の剥離紙３５が剥がされ、接着部材３２を使用して洗面台上に固定される。それにより接着部材３２での受台３４の固定忘れを防止でき手乾燥装置の安全性を増すことができる。
【００４４】
突起状の部品３６は剥離紙３５を介さず直接接着部材３２に設けられても良く、また剥離紙３５の一部から形成されていても良い。
【００４５】
突起状の部品３６を剥離紙３５の中央部に一つだけ配置すると端部に配置するよりも受台３４が大きく傾き不安定になるので、手乾燥装置が設置し難くなる。
【００４６】
突起状の部品３６は先端部分に傾斜がある形状、または先端が尖っている形状であると受台３４が傾いて安定するので好ましい。
【００４７】
突起状の部品３６は高さが１〜１０ｃｍ程であり、剥離紙３５を剥がさずに設置した場合に受台３４が２０度以上傾くのに十分な大きさが好ましい。
【産業上の利用可能性】
【００４８】
本発明は、洗面台の上に設置される手乾燥装置に利用することができる。
【符号の説明】
【００４９】
１      外郭
２      高圧空気流発生装置
３      手挿入空間
４      ノズル
５      排気風路
６      吸気風路
７      吸気口
８      エアフィルター
９      センサー
１１    洗面ボウル
１２    洗面台
１３    排水溝
２４    操作部
３０    本体
３１    ワイヤー
３２    接着部材
３４    受台
３５    剥離紙
３６    突起状の部品
３８    洗面台壁面
【図１】
2010268986.tif 000003
【図２】
2010268986.tif 000004
【図３】
2010268986.tif 000005
【図４】
2010268986.tif 000006
【図５】
2010268986.tif 000007
【図６】
2010268986.tif 000008